(57)【特許請求の範囲】
【請求項１】
斜面を登った部分に形成されたホールと、
斜面の側部に形成されゴルフボールを打球位置方向へ戻すための傾斜溝部と、
前記ホールの底部から前記傾斜溝部へゴルフボールを案内するガイド溝部と、
を備えたリターン式ゴルフパッティング練習用具であって、
前記ガイド溝部がゴルフボールの運動エネルギーを減少させないように滑らかな曲線状のカーブを描くように形成されており、かつ、当該ガイド溝部がゴルフボールの下部と２点で接するように、傾斜した２つの曲面又は平面を向き合うように配置することで溝状に形成されたものであることを特徴とするリターン式ゴルフパッティング練習用具。
【請求項２】
前記傾斜溝部は、その底部にボール案内溝を備えており、前記ガイド溝部から当該ボール案内溝に導かれたゴルフボールが接することが無い位置に側壁を設けることで溝状に形成されていることを特徴とする請求項１に記載のリターン式ゴルフパッティング練習用具。
【請求項３】
前記傾斜溝部は、その底部にボール案内溝を備えており、そのボール案内溝は、当該ボール案内溝がゴルフボールの下部と２点で接するように、傾斜した２つの曲面又は平面を向き合うように配置することで形成されたものであることを特徴とする請求項１又は請求項２に記載のリターン式ゴルフパッティング練習用具。
【請求項４】
前記ガイド溝部を構成する傾斜した２つの曲面又は平面は、横断面が略Ｖ字状に交差するように配置されているものであることを特徴とする請求項１〜３の何れか一項に記載のリターン式ゴルフパッティング練習用具。
【請求項５】
前記ホール、傾斜溝部及びガイド溝部の各底部には、消音効果のある柔軟素材が配置されているものであることを特徴とする請求項１〜４の何れか一項に記載のリターン式ゴルフパッティング練習用具。
【請求項６】
前記ガイド溝部を構成する傾斜した２つの曲面又は平面は、横断面が略Ｖ字状に交差するように配置されており、
前記ガイド溝部を構成する各曲面又は平面には、個別に裁断した消音効果のある柔軟素材を貼り付けているものであることを特徴とする請求項１〜３の何れか一項に記載のリターン式ゴルフパッティング練習用具。
【請求項７】
前記略Ｖ字状に交差するように配置された傾斜した２つの曲面又は平面が水平面と為す角度は、それぞれ１５度〜３０度の範囲内であることを特徴とする請求項４又は６に記載のリターン式ゴルフパッティング練習用具。
【請求項８】
前記ガイド溝部は、前記ホールの後端部位置から前記傾斜溝部へゴルフボールを案内するように設けられていることを特徴とする請求項１〜７の何れか一項に記載のリターン式ゴルフパッティング練習用具。
【請求項９】
前記ホールは、その底部に前記ガイド溝部方向にゴルフボールを案内する傾斜が設けられていることを特徴とする請求項１〜８の何れか一項に記載のリターン式ゴルフパッティング練習用具。
【発明の詳細な説明】
【技術分野】
【０００１】
本発明は、リターン式ゴルフパッティング練習用具に関するものである。
【背景技術】
【０００２】
従来、ゴルフパッティング練習用具として、斜面の上にホールを設け、ホールに入ったゴルフボールを打球位置の近くまで戻すようにしたリターン式ゴルフパッティング練習用具が提案されている（特許文献１〜特許文献６）。
【０００３】
これら従来のリターン式ゴルフパッティング練習用具は、斜面を登ったゴルフボールの位置エネルギーを利用してゴルフボールを打球位置付近まで戻すようにしているが、ゴルフボールを戻すための溝とゴルフボールとが衝突したり擦れるように接することで、運動エネルギー及び位置エネルギーが、音、振動、熱などのエネルギーとなって消費され、ゴルフボールの戻り方が弱いという問題や、ゴルフボールによって生じる音が大きいという問題がある。
【０００４】
従来のリターン式ゲートボール練習用具においても、ボールの運動エネルギー及び位置エネルギーが、音、振動、熱などのエネルギーとなって消費されることを防ぐことについて、特別な配慮がなされていないという問題がある（特許文献７）。
【０００５】
なお、特許文献８は、ゴルフ練習場におけるゴルフボール回収溝において、ボールの跳返りを防止するための構成を開示しているものであって、ボールを戻り易くするための構成ではない。
【先行技術文献】
【特許文献】
【０００６】
【特許文献１】特開２００７−１３０３４０号公報
【特許文献２】実開平１−１２６２７４号公報
【特許文献３】実開昭６３−１６９１７６号公報
【特許文献４】実開平１−５９１７０号公報
【特許文献５】実用新案登録第２５７９８０３号公報
【特許文献６】実開昭５５−２３６５号公報
【特許文献７】実開昭６２−１８１７１号公報
【特許文献８】特開平８−１０３５２５号公報
【発明の概要】
【発明が解決しようとする課題】
【０００７】
上記にて説明したとおり、従来のリターン式ゴルフパッティング練習用具においては、パッティング練習を効率よく繰り返すために重要なゴルフボールの戻りを良くすることができていないという課題がある。
【０００８】
また、従来のリターン式ゴルフパッティング練習用具においては、位置エネルギーや運動エネルギーが音、振動、熱などのエネルギーとなって無駄に消費されており、ひいては特に夜間における練習の際に生じる音が気になってしまうという課題がある。
【０００９】
そこで、本発明の目的は、従来のリターン式ゴルフパッティング練習用具における上記の課題を解決し、ボールの戻りを良くすることができるリターン式ゴルフパッティング練習用具を提供することにある。
【００１０】
本発明の他の目的は、位置エネルギーや運動エネルギーが音、振動、熱などのエネルギーとなって無駄に消費されることがなく、ひいては夜間における練習の際にもボールによって生じる音が気になることが無い静音性能を有するリターン式ゴルフパッティング練習用具を提供することにある。
【００１１】
さらに、本発明の他の目的は、製造が容易なリターン式ゴルフパッティング練習用具を提供することにある。
【課題を解決するための手段】
【００１２】
本発明は、「斜面を登った部分に形成されたホールと、斜面の側部に形成されゴルフボールを打球位置方向へ戻すための傾斜溝部と、前記ホールの底部から前記傾斜溝部へゴルフボールを案内するガイド溝部と、を備えたリターン式ゴルフパッティング練習用具であって、前記ガイド溝部がゴルフボールの運動エネルギーを減少させないように滑らかな曲線状のカーブを描くように形成されており、かつ、当該ガイド溝部がゴルフボールの下部と２点で接するように、傾斜した２つの曲面又は平面を向き合うように配置することで溝状に形成されたものであるリターン式ゴルフパッティング練習用具。」を最も主要な特徴とするものである。
【００１３】
本発明のリターン式ゴルフパッティング練習用具において、前記傾斜溝部は、その底部にボール案内溝を備えており、前記ガイド溝部から当該ボール案内溝に導かれたゴルフボールが接することが無い位置に側壁を設けることで溝状に形成されているものであってもよい。
【００１４】
本発明のリターン式ゴルフパッティング練習用具において、前記傾斜溝部は、その底部にボール案内溝を備えており、そのボール案内溝は、当該ボール案内溝がゴルフボールの下部と２点で接するように、傾斜した２つの曲面又は平面を向き合うように配置することで形成されたものであってもよい。
【００１５】
本発明のリターン式ゴルフパッティング練習用具において、前記ガイド溝部を構成する傾斜した２つの曲面又は平面は、横断面が略Ｖ字状に交差するように配置されているものであってもよい。
【００１６】
本発明のリターン式ゴルフパッティング練習用具において、前記ホール、傾斜溝部及びガイド溝部の各底部には、消音効果のある柔軟素材が配置されていてもよい。
本発明のリターン式ゴルフパッティング練習用具において、前記ガイド溝部を構成する傾斜した２つの曲面又は平面は、横断面が略Ｖ字状に交差するように配置されており、前記ガイド溝部を構成する各曲面又は平面には、個別に裁断した消音効果のある柔軟素材を貼り付けているものであってもよい。
【００１７】
本発明のリターン式ゴルフパッティング練習用具において、前記略Ｖ字状に交差するように配置された傾斜した２つの曲面又は平面が水平面と為す角度は、それぞれ１５度〜３０度の範囲内であるとよい。
【００１８】
本発明のリターン式ゴルフパッティング練習用具において、前記ガイド溝部は、前記ホールの後端部位置から前記傾斜溝部へゴルフボールを案内するように設けられているものであってもよい。
本発明のリターン式ゴルフパッティング練習用具において、前記ホールは、その底部に前記ガイド溝部方向にゴルフボールを案内する傾斜が設けられているものであってもよい。
【発明の効果】
【００１９】
上記のように構成した本発明のリターン式ゴルフパッティング練習用具においては、前記ホールに入ったゴルフボールの下部が、前記ガイド溝部のカーブに沿って滑らかに案内され、さらに、前記ガイド溝部と２点でのみ接して前記傾斜溝部までスムーズに案内されるため、ゴルフボールが溝に衝突することを繰り返すことなどによって運動エネルギーが熱エネルギーや振動・音エネルギーとして消費されてしまうということを抑制することができる。
また、ゴルフボールの下部がガイド溝部と２点で接している場合の方がガイド溝部と１点で接する場合よりも音の発生が少なく静かである。
従って、静かに、かつ、勢いよく傾斜溝部から打球位置付近までゴルフボールを戻すことができる。
【００２０】
本発明のリターン式ゴルフパッティング練習用具において、前記傾斜溝部が、その底部にボール案内溝を備えており、前記ガイド溝部から当該ボール案内溝に導かれたゴルフボールが接することが無い位置に側壁を設けることで溝状に形成されている場合、傾斜溝部の側壁にゴルフボールが接することでゴルフボールの運動エネルギーが熱エネルギーや振動・音エネルギーとして消費されることを防止することができ、静かに、かつ、勢いよく傾斜溝部から打球位置付近までゴルフボールを戻すことができる。
【００２１】
本発明のリターン式ゴルフパッティング練習用具において、前記傾斜溝部が、その底部にボール案内溝を備えており、そのボール案内溝は、当該ボール案内溝がゴルフボールの下部と２点で接するように、傾斜した２つの曲面又は平面を向き合うように配置することで形成されている場合、傾斜溝部においてゴルフボールの運動エネルギーが熱エネルギーや振動・音エネルギーとして消費されることを最大限防止することができ、静かに、かつ、勢いよく傾斜溝部から打球位置付近までゴルフボールを戻すことができる。
【００２２】
本発明のリターン式ゴルフパッティング練習用具において、前記ガイド溝部を構成する傾斜した２つの曲面又は平面が、横断面が略Ｖ字状に交差するように配置されているものである場合、ガイド溝部を簡単に形成することができ、かつ、ガイド溝部においてゴルフボールの運動エネルギーが熱エネルギーや振動・音エネルギーとして消費されることを効果的に防止することができ、ホールから傾斜溝部まで、静かに、かつ、勢いよくゴルフボールを戻すことができる。
【００２３】
本発明のリターン式ゴルフパッティング練習用具において、前記ホール、傾斜溝部及びガイド溝部の各底部に、消音効果のある柔軟素材が配置されている場合、前記ホール、傾斜溝部及びガイド溝部の各底部においてゴルフボールが接することによる音の発生を抑制でき、消音又は静音効果を有するリターン式ゴルフパッティング練習用具を提供することができる。
さらに、消音効果のある柔軟素材が配置されていても、ゴルフボールの運動エネルギーの減少を抑制することができ、ゴルフボールのリターンを確実に行うことができる。なお、このようなゴルフボールの運動エネルギーの減少を抑制するための柔軟素材としては、表面に植毛が施されているものではなく、ゴルフボールの沈み込みが少ないシート状の柔軟素材が好ましい。
【００２４】
本発明のリターン式ゴルフパッティング練習用具において、前記ガイド溝部を構成する傾斜した２つの曲面又は平面が、横断面が略Ｖ字状に交差するように配置されており、前記ガイド溝部を構成する各曲面又は平面に、個別に裁断した消音効果のある柔軟素材を貼り付けているものである場合、ガイド溝部を構成する各曲面又は平面に沿って柔軟素材を簡単に固定でき、かつ、ガイド溝部を構成する各曲面又は平面の交差する部分において略Ｖ字状の谷を明確に形成することができる。
【００２５】
本発明のリターン式ゴルフパッティング練習用具において、前記略Ｖ字状に交差するように配置された傾斜した２つの曲面又は平面が水平面と為す角度が、それぞれ１５度〜３０度の範囲内とした場合には、ゴルフボールがガイド溝部から逸脱することなく滑らかに案内され、かつ、ゴルフボールの下部を２点で支持して上記にて説明した本発明の各効果を得ることができる。
【００２６】
本発明のリターン式ゴルフパッティング練習用具において、前記ガイド溝部が、前記ホールの後端部位置から前記傾斜溝部へゴルフボールを案内するように設けられているものである場合、ホールに入ったゴルフボールが有する位置エネルギーを最大限効率的に生かしてゴルフボールをホールからガイド溝部へと導くことができる。
【００２７】
本発明のリターン式ゴルフパッティング練習用具において、前記ホールが、その底部に前記ガイド溝部方向にゴルフボールを案内する傾斜が設けられているものである場合、ホールに入ったゴルフボールがホール内に留まってしまうことがなく、確実にゴルフボールをホールからガイド溝部へと導くことができる。
【図面の簡単な説明】
【００２８】
【図１】図１は本発明を具体化したリターン式ゴルフパッティング練習用具の本体部を示す図であって、（Ａ）は本体部の平面図、（Ｂ）は本体部の正面図である。
【図２】図２は本発明を具体化したリターン式ゴルフパッティング練習用具を示す斜視図である。
【図３】図３は本発明を具体化したリターン式ゴルフパッティング練習用具の傾斜溝部を示す正面図である。
【図４】図４は本発明を具体化したリターン式ゴルフパッティング練習用具の本体部に柔軟素材を貼付固定する前の状態を示す平面図である。
【図５】図５は本発明を具体化したリターン式ゴルフパッティング練習用具の本体部の図４におけるＸ−Ｘ線断面図である。
【図６】図６は本発明を具体化したリターン式ゴルフパッティング練習用具のガイド溝部の好適な角度を見出すために行った試験の様子と、その試験結果を示す表及びグラフを示す図である。
【発明を実施するための形態】
【００２９】
本発明は、「斜面を登った部分に形成されたホールと、斜面の側部に形成されゴルフボールを打球位置方向へ戻すための傾斜溝部と、前記ホールの底部から前記傾斜溝部へゴルフボールを案内するガイド溝部と、を備えたリターン式ゴルフパッティング練習用具であって、前記ガイド溝部がゴルフボールの運動エネルギーを減少させないように滑らかな曲線状のカーブを描くように形成されており、かつ、当該ガイド溝部がゴルフボールの下部と２点で接するように、傾斜した２つの曲面又は平面を向き合うように配置することで溝状に形成されたものであるリターン式ゴルフパッティング練習用具。」であって、以下において説明する実施形態などにより好適に具体化することができる。
【００３０】
以下、本発明のリターン式ゴルフパッティング練習用具Ｐの一実施形態について説明する。
図１及び図２に示すように、リターン式ゴルフパッティング練習用具Ｐは、ポリプロピレンのような硬質の合成樹脂素材から成形加工された本体部１０と、フェルトのようにゴルフボールＧを転動させるのに適した適度の摩擦抵抗（ころがり摩擦抵抗）を有するマット表面を備えた柔軟なシート状又は布状のマット２０とから構成されている。
【００３１】
前記本体部１０は、設置面Ｆとほぼ同じ高さの前端部から後端部に向けて１０ｃｍ程度昇るように形成された斜面１と、その斜面１を登った部分に形成された水平部分２に形成されたホール３と、斜面１の一側部に形成されゴルフボールＧを打球位置方向（本体部の前端部方向）へ戻すための傾斜溝部４と、前記ホール３の底部から前記傾斜溝部へゴルフボールＧを案内するガイド溝部５とを備えている。
【００３２】
なお、前記傾斜溝部４は、本体部１０の後端部まで回り込むように弧状に延設されており、ホール３を越えて本体部１０の後端部にまで至ったゴルフボールＧが打球位置方向まで戻されるようになっている。
また、前記ホール３、前記傾斜溝部４，前記ガイド溝部５の各底部には、予め図４において一点鎖線で示す部分が谷底となるように横断面略Ｖ字状の溝が形成されている。
ここで、横断面略Ｖ字状とは、溝に沿ってゴルフボールＧが案内される方向と直交する方向の断面が略Ｖ字状であることを示す。
【００３３】
前記ホール３の底部及び内周面、傾斜溝部４の側面及び底部、ガイド溝部５の側面及び底部、斜面１の側壁６には、シート状の発泡合成樹脂又はゴム（一例として厚さ２〜４ｍｍ程度の発泡スチレン・ブタジエンゴムの表面に布が貼られたもの）からなる消音効果のある柔軟素材１１〜１７が貼付固定されている。
この柔軟素材１１〜１７を貼付固定する位置は、ゴルフパッティング練習用具の通常の使用態様にてゴルフボールが接触する可能性がある部分に限定しており、指によって柔軟素材１１〜１７を貼付固定する作業を容易化するとともに、柔軟素材１１〜１７の無駄を省いている。
【００３４】
具体的には、前記ホール３、前記傾斜溝部４及びガイド溝部５は、それらの底部におけるコーナー部から少なくとも１０ｍｍ、多くとも２１ｍｍの範囲において、前記消音効果のある柔軟素材１１〜１７が配置されていない。
さらに、前記ホール３の底部、傾斜溝部４の底部及びガイド溝部５の底部には、柔軟素材１１〜１７を貼り付ける位置の外縁を示す突条７が形成されており、柔軟素材１１〜１７を貼付固定する作業をより一層容易化することができるようになっている。
【００３５】
上記のとおり柔軟素材１１〜１７を貼付固定することで、ゴルフボールＧがホール３にカップインする際の音量がこれらを貼付固定しない場合と比べて約１７ｄＢ低下した（平均約６７ｄＢ→約５０ｄＢ）。
これは、植毛加工を施したゴルフパッティング練習用具と比べても約９ｄＢ低いものである（平均約５９ｄＢ→約５０ｄＢ）。
【００３６】
前記ガイド溝部５は、ホール３に入ったゴルフボールＧの運動エネルギーを減少させないように滑らかな曲線状のカーブを描くように形成されており、かつ、当該ガイド溝部５がゴルフボールＧの下部と２点で接するように、傾斜した２つの曲面又は平面を向き合うように配置することで横方向断面が略Ｖ字状となる溝状に形成されている。
【００３７】
また、ホール３の底面には、ゴルフボールＧをホール３の後端部方向に案内するように傾斜が設けられており、前記ガイド溝部５は、その前記ホール３の後端部位置から前記傾斜溝部４へゴルフボールＧを案内するように設けられている。
従って、ホール３に入ったゴルフボールＧが有する位置エネルギーを最大限効率的に生かしてゴルフボールＧをホール３からガイド溝部５へと導くことができる。
【００３８】
前記ガイド溝部５を構成する前記略Ｖ字状に交差するように配置された傾斜した２つの曲面又は平面が水平面と為す角度α，βは、それぞれ約２２度になっている。
従って、ホール３に入ったゴルフボールＧは、ガイド溝部５から逸脱することなく滑らかに案内され、かつ、ゴルフボールＧの下部を２点で支持して前記傾斜溝部４までスムーズに案内されるため、ゴルフボールＧの運動エネルギーが熱エネルギーや振動・音エネルギーとして消費されることを抑制することができる。
【００３９】
なお、前記ガイド溝部５と接続する部分から本体部１０の前端部まで、前記傾斜溝部４にも略Ｖ字状に交差するように配置された傾斜した２つの曲面又は平面からなるボール案内溝４ａが形成されている。そして、前記傾斜溝部４は、前記ガイド溝部５から当該ボール案内溝４ａに導かれたゴルフボールＧが接することが無い位置に側壁４ｂを設けることで溝状に形成されている
【００４０】
なお、前記ボール案内溝４ａの傾斜した２つの曲面又は平面が水平面と為す角度α，βは、斜面１の上側に近いほど大きく、前端部に近いほど小さくなっている。
これは、傾斜溝部４内の斜面を下るにつれてゴルフボールＧの直進性が増して傾斜溝部４の側壁４ｂにゴルフボールＧが蛇行して接触してしまう恐れが無くなるからである。
【００４１】
前記本体部１０は、全体が厚さ２ｍｍ程度にて成形されており、その後端部に左右一対の脚部８が形成されている。そして、その２つの脚部８の間と、両脚部８の前方部分において、本体部１０の外周を構成する壁面９と設置面Ｆとの間に隙間が形成されるように、開口部９ａが設けられている。
この開口部９ａにより、本体部１０の外周を構成する壁面９に囲まれた本体部１０の裏側の空間は、開放された空間となり、ゴルフボールＧによって生じる音が反響して増幅することを防ぐようになっている。
【００４２】
上記のとおり開口部９ａを形成したことで、開口部９ａが無い場合と比べてゴルフボールＧがホール３にカップインする際の音量がさらに約２ｄＢ低下した（平均約５０ｄＢ→約４８ｄＢ）。
【００４３】
さらに、前記脚部８の下面と、本体部１０の前端部には発泡合成樹脂からなる消音効果のある柔軟素材１８，１９が貼付固定されており、本体部１０の振動や音を吸収するようになっている。
【００４４】
前記マット２０は、厚さが約４ｍｍ程度であり、前記本体部１０の斜面１及び水平部分２の上面を覆うように貼り付けられ、さらに６本のリベットＲにて本体部１０に固定されている。
前記マット２０は、前記本体部１０の前端部からさらに２ｍ程度延びて設置面Ｆを覆うようになっており、この設置面Ｆに拡げられたマット２０の適宜の位置が、パッティング練習の際のゴルフボールＧの打球位置となる。
【００４５】
前記傾斜溝部４の前方に配置された前記マット２０には、１０ｍｍ程度の一定間隔をおいて、長さが約９５ｍｍ、幅が約５ｍｍに切り欠き形成された切溝２１が複数個並べて形成されている。
そして、これらの複数個の切溝２１がボール案内部２２として機能し、前記傾斜溝部４のボール案内溝４ａを下って転動して来たゴルフボールＧが、その切溝２１に沿って案内され、打球位置付近まで正しくゴルフボールＧが戻るようになっている。
【００４６】
このボール案内部２２の上を転動するゴルフボールＧは、その下端部が設置面Ｆと接することがないため、ゴルフボールＧと屋内のフローリングのような設置面Ｆと接することによる音の発生を防止することができる。
【００４７】
次に、上記にて説明したリターン式ゴルフパッティング練習用具Ｐを製造する方法について説明する。
まず、樹脂成形にて本体部１０を設け、ホール３の底部、傾斜溝部４の底部、及び、ガイド溝部５の底部に設けられた突条７の内側に沿って４枚の柔軟素材１１〜１４を貼り付ける。
ここで、特に前記ホール３及びガイド溝部５の各底部には、図４において一点鎖線で示す谷底の部分において、柔軟素材１１，１２を谷底の部分において突き合わせるようにしているため、ガイド溝部５のＶ字状の溝を明瞭に形成できるとともに、柔軟素材１１，１２を正しく貼り付ける作業を容易化することができる。
【００４８】
また、前記ホール３の内周面、傾斜溝部４の側面（側壁）、ガイド溝部５の側面、斜面１の側壁６にも、柔軟素材１５〜１７を貼付固定する。これらの柔軟素材１１〜１７を貼付固定する位置は、既に説明したとおり、ゴルフパッティング練習用具Ｐの通常の使用態様にてゴルフボールＧが接触する可能性がある部分に限定している。
【００４９】
次に、ガイド溝部５の上面を覆う蓋３０を本体部１０の水平部分２に固定した後、マット２０を前記本体部１０の斜面１及び水平部分２の上面を覆うように貼り付け、さらにそのマット２０の辺縁部をリベットＲにて本体部１０に固定することで、リターン式ゴルフパッティング練習用具Ｐを製造することができる。
このマット２０には、前記傾斜溝部４の前方に対応する位置に、予め複数個の切溝２１を複数個並べて打ち抜き加工することで、ゴルフボールＧを打球位置付近まで正しく戻すためのボール案内部２２を簡単に設けることができ、別途レールなどを設置する必要も無く、ゴルフパッティング練習用具Ｐの持ち運びや収納の際に邪魔になることが無いばかりか、ゴルフパッティング練習用具Ｐの製造コストを抑えることもできる。
【００５０】
上記のように製造した本発明の一実施形態のリターン式ゴルフパッティング練習用具Ｐにおいては、前記ホール３に入ったゴルフボールＧの下部が前記ガイド溝部５と２点でのみ接して前記傾斜溝部４までスムーズに案内されるため、ゴルフボールＧの運動エネルギーが熱エネルギーや振動・音エネルギーとして消費されることを抑制することができる。
従って、静かに、かつ、勢いよく傾斜溝部４からマット２０上の打球位置付近までゴルフボールＧを戻すことができる。
【００５１】
上記一実施形態のリターン式ゴルフパッティング練習用具Ｐにおいては、前記傾斜溝部４の底部にボール案内溝４ａを備えており、前記ガイド溝部５から当該ボール案内溝４ａに導かれたゴルフボールＧが接することが無い位置に側壁４ｂを設けることで傾斜溝部４が溝状に形成されているため、ゴルフボールＧの運動エネルギーが熱エネルギーや振動・音エネルギーとして消費されることを防止することができ、静かに、かつ、勢いよく傾斜溝部４から打球位置付近までゴルフボールＧを戻すことができる。
【００５２】
上記一実施形態のリターン式ゴルフパッティング練習用具Ｐにおいては、前記傾斜溝部４の底部にボール案内溝４ａを備えており、当該ボール案内溝４ａがゴルフボールＧの下部と２点で接するように、傾斜した２つの曲面又は平面を向き合うように配置することで形成されているため、傾斜溝部４においてゴルフボールＧの運動エネルギーが熱エネルギーや振動・音エネルギーとして消費されることを最大限防止することができ、静かに、かつ、勢いよく傾斜溝部４から打球位置付近までゴルフボールＧを戻すことができる。
【００５３】
上記一実施形態のリターン式ゴルフパッティング練習用具Ｐにおいては、前記ガイド溝部５を構成する傾斜した２つの曲面又は平面が、横断面が略Ｖ字状に交差するように配置されているため、ガイド溝部５を簡単に形成することができ、かつ、ガイド溝部５においてゴルフボールＧの運動エネルギーが熱エネルギーや振動・音エネルギーとして消費されることを効果的に防止することができ、ホール３から傾斜溝部４まで、静かに、かつ、勢いよくゴルフボールＧを戻すことができる。
【００５４】
上記一実施形態のリターン式ゴルフパッティング練習用具Ｐにおいては、前記傾斜溝部４、ガイド溝部５及びホール３の各底部に消音効果のある柔軟素材１１〜１４が配置されているため、前記傾斜溝部４、ガイド溝部５及びホール３の各底部においてゴルフボールＧが接することによる音の発生を抑制でき、消音又は静音効果を有するリターン式ゴルフパッティング練習用具Ｐを提供することができる。
【００５５】
上記一実施形態のリターン式ゴルフパッティング練習用具Ｐにおいては、前記ガイド溝部５を構成する傾斜した２つの曲面又は平面が、横断面が略Ｖ字状に交差するように配置されており、前記ガイド溝部５を構成する各曲面又は平面に、個別に裁断した消音効果のある柔軟素材１１，１２を貼り付けているため、ガイド溝部５を構成する各曲面又は平面に沿って柔軟素材１１，１２を簡単に固定でき、かつ、ガイド溝部５を構成する各曲面又は平面の交差する部分において略Ｖ字状の谷を明確に形成することができる。
従って、ガイド溝部５においてゴルフボールＧの運動エネルギーが減少することを効果的に抑えることができ、かつ、ゴルフボールＧがガイド溝部５に接することによる音の発生を抑制することができる。
【００５６】
本発明のリターン式ゴルフパッティング練習用具Ｐにおいては、図６に示すように、前記略Ｖ字状に交差するように配置された傾斜した２つの曲面又は平面が水平面と為す傾斜角度θを、それぞれ１５度〜３０度の範囲内とした場合には、ゴルフボールＧがガイド溝部５から逸脱することなく滑らかに案内され、かつ、ゴルフボールＧの下部を２点で支持して上記にて説明した本発明の各効果を得ることができる。
【００５７】
上記傾斜角度θは、斜面１の高さ、ホール３の底部の高さ、傾斜溝部４及びボール案内溝４ａの溝幅、傾斜溝部４の底部の傾斜角度α，βなどから適宜導き出されるものであり、その傾斜角度θの範囲を見出すために斜面とゴルフボールＧを用いて行った試験の様子が、図６に示されている。
ここで、試験に用いた斜面の高さｈは、ガイド溝部５の下端部からホール３の底部の高い位置までの高さに相当するものであって、約１７ｍｍである。
【００５８】
上記一実施形態のリターン式ゴルフパッティング練習用具Ｐにおいては、前記ガイド溝部５が、前記ホール３の後端部位置から前記傾斜溝部４へゴルフボールＧを案内するように設けられているため、ホール３に入ったゴルフボールＧが有する位置エネルギーを最大限効率的に生かしてゴルフボールＧをホール３からガイド溝部５へと導くことができる。
【００５９】
上記一実施形態のリターン式ゴルフパッティング練習用具Ｐにおいては、前記ホール３が、その底部に前記ガイド溝部５方向にゴルフボールＧを案内する傾斜が設けられているため、ホール３に入ったゴルフボールＧがホール３内に留まってしまうことがなく、確実にゴルフボールＧをホール３からガイド溝部５へと導くことができる。
【００６０】
本発明は、上記実施形態のリターン式ゴルフパッティング練習用具Ｐに限定されるものではなく、ガイド溝部５の曲率や傾斜角度などを適宜変更したり、柔軟素材１１〜１９やマット２０の素材を変更して実施したり、柔軟素材１１〜１９を適宜省略して実施してもよい。
例えば、マット２０の素材としては、フェルト以外の不織布であってもよく、柔軟素材１１〜１９としては、ゴルフボールの沈み込みが少なく、ゴルフボールの運動エネルギーを吸収してしまうことが無い、発泡スチロール、合成ゴム、天然ゴム若しくはシリコンのシート状素材、それらの表面に布が貼られた複合素材、又は、コルクから構成されたものであってもよい。
【００６１】
また、柔軟素材を貼り付ける位置と貼り付けない位置とを分かりやすく区切るための線状の突条７に代えて、複数個の突起を並べたり、凹部を設けたり、柔軟素材を貼る位置を低くした段差部を設けて実施してもよい。
さらに、傾斜溝部４やガイド溝部５の底面を構成する本体部１０を平坦なものとし、柔軟素材１１〜１３の上面に横断面が略Ｖ字状の溝を形成したものを貼付固定して実施してもよい。
その他、本発明は、その趣旨を逸脱しない範囲で、各部の構造、材質、形状、寸法、角度、設置位置、大きさ、数などが異なるリターン式ゴルフパッティング練習用具において具体化して実施してもよい。
【産業上の利用可能性】
【００６２】
本発明は、ゴルフボールが打球位置に戻る勢いを極力抑えることができるリターン式ゴルフパッティング練習用具を提供することができ、ゴルフボールが転がる勢いを減少させ易い柔軟素材を貼り付けた消音又は静音効果を有するリターン式ゴルフパッティング練習用具を実現することにも対応でき、組立の作業性にも優れたリターン式ゴルフパッティング練習用具として好適に利用可能である。
【符号の説明】
【００６３】
１    斜面
２    水平部分
３    ホール
４    傾斜溝部
４ａ  ボール案内溝
４ｂ  側壁
５    ガイド溝部
６    斜面の側壁
７    突条
８    脚部
９    壁面
９ａ  開口部
１０    本体部
１１    柔軟素材（ホールの底部及びガイド溝部の底部）
１２    柔軟素材（ホールの底部及びガイド溝部の底部）
１３    柔軟素材（傾斜溝部の直線部分の底部）
１４    柔軟素材（傾斜溝部の湾曲部分の底部）
１５    柔軟素材（ホールの側面及びガイド溝部の側面）
１６    柔軟素材（傾斜溝部の側面及び斜面の側壁）
１７    柔軟素材（傾斜溝部の湾曲部分の側面）
１８    柔軟素材（脚部の下面）
１９    柔軟素材（本体部の前端部下面）
２０    マット
２１    切溝
２２    ボール案内部
３０    蓋
Ｆ    設置面
Ｇ    ゴルフボール
ｈ    高さ
Ｐ    リターン式ゴルフパッティング練習用具
Ｒ    リベット
α    角度
β    角度
θ    傾斜角度
【図１】
0006388309.tif 000002
【図２】
0006388309.tif 000003
【図３】
0006388309.tif 000004
【図４】
0006388309.tif 000005
【図５】
0006388309.tif 000006
【図６】
0006388309.tif 000007